(57)【要約】【課題】外部電線における断線を抑制するブッシング及び該ブッシングを備える変圧器を提供する。【解決手段】ブッシング１は、略円筒状の絶縁性外筒部材５と、絶縁性外筒部材５の長手方向における一方の端部側から露出する導電部８と、外部電線３の一端に形成される端子部１４を挟み込むようにして固定する規制部１３及び取手部１１と、取手部１１の外周に形成される複数の位置決め用凹部１２と、を備える。位置決め用凹部１２には、端子部１４が固定された外部電線３の一部が、位置決め用凹部１２に沿うようにして収納配置される。【選択図】図１
2007280829.tif 000002
【特許請求の範囲】
【請求項１】
被取付体に形成される外部電線の引き込み孔及び／又は外部電線への引き出し孔に嵌合されるブッシングであって、
略円筒状の絶縁性外筒部材と、
前記絶縁性外筒部材における長手方向の一端側に形成される開口部と、
前記開口部に連続して形成され前記被取付体の内部から延びる被取付体側電線を挿通可能な中空部と、
前記中空部を挿通する前記被取付体側電線と電気的に接続可能であると共に、前記絶縁性外筒部材の他端部から露出するように形成される略棒状の導電部と、
前記導電部の外周面に形成される雄ネジ部と、
前記雄ネジ部に螺合可能な雌ネジ部を有し、該雌ネジ部が前記雄ネジ部に螺合した状態において前記導電部における外周方向に回転されることで該導電部における長手方向に移動可能な取手部と、
前記取手部の外周に前記導電部における長手方向と略平行に形成される複数の凹部と、
前記導電部に形成され、前記取手部の前記導電部における長手方向への移動を規制する規制部と、
前記取手部と前記規制部との間に形成され、前記外部電線に形成された端子部を配置可能な端子配置部と、を備え、
前記取手部は、前記規制部側に移動して、該取手部と前記規制部とにより前記端子配置部に配置される前記端子部を挟み込むようにして固定可能であり、
前記複数の凹部における全部又は一部は、位置決め用凹部であり、
前記位置決め用凹部のそれぞれは、前記取手部と前記規制部とにより前記端子部が固定された前記外部電線の一部を収納配置可能に形成されるブッシング。
【請求項２】
前記導電部は、前記端子部が挿通可能な挿通部を備え、
前記挿通部は、前記導電部における長手方向に延びるように形成される請求項１に記載のブッシング。
【請求項３】
前記位置決め用凹部のそれぞれの深さは、前記外部電線の直径における長さに対して７０％以上である請求項１又は２に記載のブッシング。
【請求項４】
前記位置決め用凹部のそれぞれは、該位置決め用凹部における長手方向の両端において開口するよう形成されると共に、該両端に形成される開口を繋ぐよう連続して形成され、更に、該位置決め用凹部の長手方向における外方側に形成される第１凹部と、該位置決め用凹部の長手方向における前記端子配置部側に前記第１凹部と連続して形成される第２凹部と、を備え、
前記第２凹部の底部は、該第２凹部における前記第１凹部側から前記端子配置部側に向かうに従って、前記外周側とは反対側に向かうように傾斜する請求項１から３のいずれかに記載のブッシング。
【請求項５】
前記外部電線の一部が前記位置決め用凹部に収容されるよう配置された状態における前記取手部の外周に沿うように配置可能な固定部材と、を更に備え、
前記取手部は、該取手部の外周に沿うように形成され、前記固定部材を配置可能な固定部材用凹部と、を備える請求項１から４のいずれかに記載のブッシング。
【発明の詳細な説明】
【技術分野】
【０００１】
本発明は、変圧器に用いられるブッシングに関する。
【背景技術】
【０００２】
従来より、配電用変圧器等には、該配電用変圧器等の筐体に嵌合するよう所定のブッシングが配置されている。
【０００３】
通常、電線は、該電線の外部を被覆するビニール等を剥がして露出させた金属製の導電線を、ブッシングから外部に露出された所定の導電体に接続固定することで、ブッシングに接続される。このように、導電線は、該導電線を保護するためのビニール等に被覆されない状態でブッシングに接続されるので、接続部分及びその近傍において、自然からの影響のような外部からの影響を受けやすくなる。例えば、強風により生じる振動によって、接続部分やその近傍に断線が生じる等の影響を受ける場合がある。
【０００４】
そこで、自然等の外部からの影響を少なくするため、例えば、接続部分を含む所定の領域が絶縁性部材で覆われたブッシングが提案されている（例えば、特許文献１を参照）。
【特許文献１】特開平０５−２１７７５６号公報
【０００５】
特許文献１のブッシングは、接続部分やその近傍を含む所定領域を絶縁性部材で覆うことで、自然等の外部からの影響を受け難くしている。しかし、特許文献１のブッシングでは、該ブッシングに電線を接続するために必要な部材が増えると共に、例えば、高所での接続作業が増えるという課題がある。また、絶縁性部材を接続部分やその近傍を含む所定領域を覆うように配置することは、上記作業の困難性に加えて、コスト面における課題が生じる。そして、これらが本発明の課題といってよい。
【発明の開示】
【発明が解決しようとする課題】
【０００６】
本発明は、以上のような課題に鑑みてなされたものであり、外部電線における断線を抑制するブッシングを提供すること目的とする。
【課題を解決するための手段】
【０００７】
発明者は、上記目的を達成するため、所定の取手部を回転させることで該取手部を移動させ、該移動方向側に配置される所定の部材とで挟み込むようにして外部電線を固定するブッシングにおいて、取手部の回転動作に利用するために該取手部の外周に形成される凹部の深さを、外部電線が収納可能な深さに形成することで電線を位置決めできることを見出した。これにより、強風等により電線に生じる振動を抑制すると共に、該振動により生じる断線を抑制可能であることを見出し、本発明を完成させた。
【０００８】
（１）  被取付体に形成される外部電線の引き込み孔及び／又は外部電線への引き出し孔に嵌合されるブッシングであって、略円筒状の絶縁性外筒部材と、前記絶縁性外筒部材における長手方向の一端側に形成される開口部と、前記開口部に連続して形成され前記被取付体の内部から延びる被取付体側電線を挿通可能な中空部と、前記中空部を挿通する前記被取付体側電線と電気的に接続可能であると共に、前記絶縁性外筒部材の他端部から露出するように形成される略棒状の導電部と、前記導電部の外周面に形成される雄ネジ部と、前記雄ネジ部に螺合可能な雌ネジ部を有し、該雌ネジ部が前記雄ネジ部に螺合した状態において前記導電部における外周方向に回転されることで該導電部における長手方向に移動可能な取手部と、前記取手部の外周に前記導電部における長手方向と略平行に形成される複数の凹部と、前記導電部に形成され、前記取手部の前記導電部における長手方向への移動を規制する規制部と、前記取手部と前記規制部との間に形成され、前記外部電線に形成された端子部を配置可能な端子配置部と、を備え、前記取手部は、前記規制部側に移動して、該取手部と前記規制部とにより前記端子配置部に配置される前記端子部を挟み込むようにして固定可能であり、前記複数の凹部における全部又は一部は、位置決め用凹部であり、前記位置決め用凹部のそれぞれは、前記取手部と前記規制部とにより前記端子部が固定された前記外部電線の一部を収納配置可能に形成されるブッシング。
【０００９】
（１）の発明におけるブッシングは、被取付体に形成される外部電線の引き込み孔及び／又は外部電線への引き出し孔に嵌合されるブッシングであって、略円筒状の絶縁性外筒部材と、絶縁性外筒部材における長手方向の一端側に形成される開口部と、開口部に連続して形成され被取付体の内部から延びる被取付体側電線を挿通可能な中空部と、中空部を挿通する被取付体側電線と電気的に接続可能であると共に絶縁性外筒部材の他端部から露出するように形成される略棒状の導電部と、導電部の外周面に形成される雄ネジ部と、雄ネジ部に螺合可能な雌ネジ部を有し雌ネジ部が雄ネジ部に螺合した状態において導電部における外周方向に回転されることで導電部における長手方向に移動可能な取手部と、取手部の外周に導電部における長手方向と略平行に形成される複数の凹部と、導電部に形成され取手部の導電部における長手方向への移動を規制する規制部と、取手部と規制部との間に形成され、外部電線に形成された端子部を配置可能な端子配置部と、を備える。
【００１０】
そして、取手部は、規制部側に移動して取手部と規制部とにより端子配置部に配置される端子部を挟み込むようにして固定可能であり、複数の凹部における全部又は一部は位置決め用凹部であり、位置決め用凹部のそれぞれは取手部と規制部とにより端子部が固定された外部電線の一部を収納配置可能に形成される。
【００１１】
ここで、収納配置とは、外部電線が位置決め用凹部における幅方向への動きが規制されるよう配置されることをいう。例えば、自然環境において生じる所定強さの強風を受けても該位置決め用凹部に配置された状態が保持されると共に、外部電線に生じた振動が端子部及びその近傍に伝わることを抑制するように配置されることをいう。該位置決め用凹部の形状は、外部電線の外形に応じた形状が好ましく、例えば、略Ｕ字状に形成することができる。また。該位置決め用凹部の深さは、例えば、収納配置される外部電線の直径に対して７０％以上、好ましくは８０％以上、更に好ましくは９０％以上、特に好ましくは１００％以上の深さである場合を例示できる。更には、外部電線が嵌合するような形状や深さ等に位置決め用凹部が形成されることが好ましい。
【００１２】
外部電線に形成される端子部は、例えば、導電線の外面をビニール等の絶縁性部材により被覆した外部電線において、該絶縁性部材を剥がすことで露出させた導電線の露出部分を例示することができる。端子部は、外部電線における端部に形成されても、端部とは異なる位置に形成されてもよい。
【００１３】
上述のように、外部電線の一部が位置決め用凹部に収納配置されることで外部電線は位置決めされるので、外部電線に生じた振動が端子部及びその近傍に伝わることを抑制することができる。言い換えると、端子部及びその近傍が、振動における固定端になることを回避できる。これにより、取手部と規制部とにより挟み込まれるようにして固定される端子部やその近傍における断線を抑制することができる。
【００１４】
これにより、取手部の外周に形成される複数の凹部における全部又は一部の凹部の深さや形状等を工夫することで、基本的な構造の変更や新たな部材の追加等をすることなく、外部電線を好適に位置決めすることができる。また、簡易な作業で、外部電線に生じる断線を抑制することができる。
【００１５】
（２）  前記導電部は、前記端子部が挿通可能な挿通部を備え、前記挿通部は、前記導電部における長手方向に延びるように形成される（１）に記載のブッシング。
【００１６】
（２）の発明におけるブッシングは、導電部が、端子部が挿通可能な挿通部を備え、挿通部が、導電部における長手方向に延びるように形成される。これにより、端子部を簡易に端子配置部に配置可能であると共に、端子部を好適に端子配置部に配置した状態に保持することができる。また、例えば、取手部と規制部とにより挟み込むようにして固定された状態において、該固定が緩くなった場合に、端子部が導電部から離間することを抑制することができる。
【００１７】
（３）  前記位置決め用凹部のそれぞれの深さは、前記外部電線の直径における長さに対して７０％以上である（１）又は（２）に記載のブッシング。
【００１８】
（３）の発明におけるブッシングは、位置決め用凹部のそれぞれの深さが、外部電線の直径における長さに対して７０％以上である。これにより、位置決め用凹部は、外部電線の一部を好適に収納配置して位置決めすることができる。ここで、上述のように、位置決め用凹部のそれぞれの深さは、外部電線の直径における長さに対して７０％以上、好ましくは８０％以上、更に好ましくは９０％以上、特に好ましくは１００％以上の深さであることが好ましい。
【００１９】
（４）  前記位置決め用凹部のそれぞれは、該位置決め用凹部における長手方向の両端において開口するよう形成されると共に、該両端に形成される開口を繋ぐよう連続して形成され、更に、該位置決め用凹部の長手方向における外方側に形成される第１凹部と、該位置決め用凹部の長手方向における前記端子配置部側に前記第１凹部と連続して形成される第２凹部と、を備え、前記第２凹部の底部は、該第２凹部における前記第１凹部側から前記端子配置部側に向かうに従って、前記外周側とは反対側に向かうように傾斜する（１）から（３）のいずれかに記載のブッシング。
【００２０】
（４）の発明におけるブッシングは、位置決め用凹部のそれぞれが、位置決め用凹部の長手方向における両端が開口するよう形成されると共に、両端に形成される開口を繋ぐよう連続して形成される。これにより、取手部と規制部とにより挟み込まれるように固定される端子部に連続する外部電線を、無理な角度や形状に変形させることなく位置決め用凹部に収納配置させることができる。このように外部電線の端子部近傍における変形を抑制することで、より、断線等を抑制することができる。
【００２１】
更に、（４）の発明におけるブッシングは、位置決め用凹部のそれぞれが、位置決め用凹部の長手方向における外方側に形成される第１凹部と、位置決め用凹部の長手方向における端子配置部側に第１凹部と連続して形成される第２凹部と、を備え、第２凹部の底部は、第２凹部における第１凹部側から端子配置部側に向かうに従って、外周側とは反対側に向かうように傾斜する。これにより、外部電線を位置決め用凹部に収納配置する場合に、該外部電線の端子近傍における変形を、更に、小さくすることができ、より好適に断線等を抑制することができる。
【００２２】
（５）  前記外部電線の一部が前記位置決め用凹部に収容されるよう配置された状態における前記取手部の外周に沿うように配置可能な固定部材と、を更に備え、前記取手部は、該取手部の外周に沿うように形成され、前記固定部材を配置可能な固定部材用凹部と、を備える（１）から（４）のいずれかに記載のブッシング。
【００２３】
（５）の発明におけるブッシングは、外部電線の一部が位置決め用凹部に収容されるよう配置された状態における取手部の外周に沿うように配置可能な固定部材と、を更に備える。そして、取手部は、取手部の外周に沿うように形成され固定部材を配置可能な固定部材用凹部と、を備える。これにより、位置決め用凹部に位置決めされるように収納配置される外部電線において、該収納配置された状態を好適に保持することができる。
【００２４】
（１）から（５）のいずれかに記載のブッシングは、変圧器に用いることができる。そのような変圧器は、筐体と、前記筐体に収納される変圧部と、前記筐体に形成される外部電線の引き込み孔及び／又は外部電線への引き出し孔に嵌合するように配置される（１）から（５）のいずれかに記載のブッシングと、を備える。これにより、例えば、変圧器が鉄塔や電柱等の支持体に配置された場合において、強風等により外部電線に生じる振動が外部電線における端子部及びその近傍に伝わることを抑制でき、端子部及びその近傍における断線を抑制することができる。
【発明の効果】
【００２５】
本発明によれば、外部電線における断線を抑制する、変圧器に用いられるブッシングを提供することができる。
【発明を実施するための最良の形態】
【００２６】
以下、図面を参照して本発明を実施するための最良の形態を説明する。
【００２７】
図１は、本発明における第１実施形態のブッシングを示す斜視図である。図２は、第１実施形態におけるブッシングの構造を示す分解斜視図である。図３は、被取付体に配置される第１実施形態におけるブッシングの構造を示す側面図である。図４は、被取付体に配置される第１実施形態におけるブッシングの外観を示す側面図である。図５は、第１実施形態におけるブッシングの位置決め用凹部を示す側面図及び平面図である。図６は、第１実施形態における外部電線の収納配置状態を示す側面図及び平面図である。図７は、第２実施形態におけるブッシングの位置決め用凹部を示す側面図及び平面図である。図８は、第２実施形態における外部電線の収納配置状態を示す側面図及び平面図である。図９は、第３実施形態におけるブッシングの位置決め用凹部を示す側面図、平面図及び断面図である。図１０は、第３実施形態における外部電線の収納配置状態を示す側面図及び平面図である。図１１は、変形形態におけるブッシングを示す側面図である。図１２は、被取付体に配置される従来のブッシングにおける外観を示す側面図及び平面図である。図１３は、本発明のブッシングが配置された変圧器を示す斜視図である。
【００２８】
「１」ブッシング
「１．１」全体構成
第１実施形態におけるブッシング１により、本発明におけるブッシングの全体構成を説明する。図１から図４に示すように、本実施形態におけるブッシング１は、略円筒状の絶縁性外筒部材５と、絶縁性外筒部材５の長手方向における一方の端部側から露出する導電部８と、外部電線３の一端に形成される端子部１４を挟み込むようにして固定する規制部１３及び取手部１１と、取手部１１の外周に形成される複数の位置決め用凹部１２と、を備える。
【００２９】
図１、図３及び図４に示すように、外部電線３は、外部電線３の端部に形成される端子部１４が、規制部１３と取手部１１との間に挟み込まれるようにして固定されることで、ブッシング１に接続される。外部電線３は、導電線３ｂと、該導電線３ｂを被覆する絶縁部材３ａとにより構成される。端子部１４は、外部電線３の端部における絶縁部材３ａを剥がして導電線３ｂを露出させることにより形成される。
【００３０】
ブッシング１に接続された外部電線３は、上述のように、規制部１３と取手部１１との間に挟み込まれるようにして固定された状態において、取手部１１の外周に形成される複数の位置決め用凹部１２にその一部が収納されるようにして配置される。言い換えると、固定された端子部１４に連続する外部電線３を変形させながら、位置決め用凹部１２に沿うように収納配置される。これにより、外部電線３は、該位置決め用凹部１２に位置決めされる。
【００３１】
「１．２」各種構成要素
図１から図４に示すように、絶縁性外筒部材５は、大径部５ａと、大径部５ａに連続して形成され該大径部５ａよりも小さな径である小径部５ｂとを備える。図３に示すように、ブッシング１は、小径部５ｂが、被取付体２に形成される外部電線３の引き込み孔及び／又は外部電線３への引き出し孔である孔部４に嵌合するように配置される。
【００３２】
また、絶縁性外筒部材５は、小径部５ｂの端部に形成される開口部６と、開口部６に連続するように形成される中空部７と、を備える。被取付体側電線３０は、開口部６を介して中空部７に挿通されると共に、開口部６とは反対の端部側に配置される導電部８の外部に露出しない部分に接続される。
【００３３】
図２に示すように、略棒状の導電部８は、絶縁性外筒部材５における開口部６と反対側の端部から露出するように配置される。上述の通り、導電部８には、被取付体２の内部から延びる被取付体側電線３０が電気的に接続される。
【００３４】
導電部８には、導電性の規制部１３が配置される。規制部１３は、取手部１１における導電部８の長手方向への移動を規制する。また、規制部１３は、取手部１１と共に端子部１４を挟み込むようにして固定する。
【００３５】
導電部８には、該導電部８における長手方向に延びるように挿通部１６が形成される。挿通部１６は、導電部８における径方向に貫通する長孔状部であり、該挿通部１６には、端子部１４が挿通される。挿通部１６は、規制部１３における取手部１１側の端面から、導電部８の長手方向における所定の位置まで形成される。挿通部１６に端子部１４を挿通させた状態では、該端子部１４は自動的に端子配置部１５に配置される。
【００３６】
端子配置部１５は、規制部１３と取手部１１との間に形成される。端子配置部１５に配置される端子部１４は、取手部１１が移動することにより、該取手部１１と規制部１３とにより挟み込まれるようにして固定される。
【００３７】
導電部８の外周には、所定の雄ネジ部９が形成される。該雄ネジ部９は、取手部１１に形成される雌ネジ部１０と螺合可能に形成される。
【００３８】
取手部１１は、雄ネジ部９に螺合可能な雌ネジ部１０が形成される略円筒状の部材である。取手部１１の外周には、複数の位置決め用凹部１２が形成される。取手部１１は、該取手部１１に形成される雌ネジ部１０が、導電部８の外周に形成される雄ネジ部９と螺合することで、導電部８に沿って移動することができる。具体的には、螺合状態にある取手部１１を外周方向に回転させることで、取手部１１を導電部８における長手方向に移動させることができる。
【００３９】
取手部１１は、導電部８に挿通されるように配置されるＯリング２１及びワッシャ２２と共に規制部１３側に移動する。取手部１１にける導電部８の長手方向への移動は、上述の通り、規制部１３により規制される。
【００４０】
取手部１１が規制部１３側に移動することで、挿通部１６に挿通する端子部１４は、Ｏリング２１に押されるようにして規制部１３側へ移動する。この移動により、端子部１４は規制部１３に当接するように配置される。端子部１４が規制部１３に当接した状態における取手部１１を、更に規制部１３側に移動させることで、端子部１４を、該取手部１１と規制部１３とにより挟み込むようにして固定することができる。
【００４１】
図１、図３及び図４に示すように、端子部１４が取手部１１と規制部１３とにより挟み込まれるようにして固定された状態において、該端子部１４に連続する外部電線３を位置決め用凹部１２の形状に沿うように変形させながら配置することで、該外部電線３の一部を該位置決め用凹部１２に収納配置することができる。
【００４２】
位置決め用凹部１２は、取手部１１を外周方向に回転させる際における指置きとして利用できる。言い換えると、指置きとして形成される複数の凹部における全部又は一部の凹部を所定形状及び所定深さに形成することで、位置決め用凹部１２を形成することができる。
【００４３】
本実施形態において、取手部１１の外周に形成される複数の凹部における全てが位置決め用凹部１２であるが、当然に複数の凹部における一部だけを位置決め用凹部１２とすることができる。例えば、端子部１４が、取手部１１と規制部１３とによりしっかりと固定された状態になった場合、取手部１１における所定の凹部が、必ず外周方向における同じ位置にくるような構造をとることで、複数の凹部における所定の凹部だけを位置決め用凹部１２とすることもできる。ここで、このような構造とすることで、外観から端子部１４がしっかりと固定されているかを確認できるという利点がある。
【００４４】
図５及び図６に示すように、位置決め用凹部１２は、端子部１４が固定された外部電線３の一部を収納配置可能に形成される。収納配置とは、外部電線３が位置決め用凹部１２における幅方向への動きが規制されるように配置されることをいう。好ましくは、自然環境において生じる所定強さの強風を受けても位置決め用凹部１２に配置された状態が保持されると共に、外部電線３に生じる振動が端子部１４及びその近傍に伝わることを抑制できるように配置されることをいう。
【００４５】
ここで、図１２に示すように、従来のブッシング１Ａにおける取手部１１の外周に形成される複数の凹部１２Ａは、その深さが浅いため、取手部１１を外周方向に回転させる際の指置きとして利用することはできるが、外部電線３の一部を収納配置させることはできない。つまり、外部電線３における振動が不図示の端子部及びその近傍に直接伝わるため、端子部及びその近傍における断線を抑制することができない。
【００４６】
位置決め用凹部１２の形状は、外部電線３の外形に応じた形状が好ましく、例えば、図５及び図６に示すように略Ｕ字状に形成することができる。
【００４７】
また、該位置決め用凹部１２の深さＵは、例えば、収納配置される外部電線３の直径における長さに対して、７０％以上、好ましくは８０％以上、更に好ましくは９０％以上、特に好ましくは１００％以上の深さである場合を例示できる。つまり、外部電線３の直径が１０ｍｍである場合には、位置決め用凹部１２の深さＵは、例えば、７ｍｍ以上、好ましくは８ｍｍ以上、更に好ましくは９ｍｍ以上、特に好ましくは１０ｍｍ以上である場合を例示できる。この位置決め用凹部１２の深さが深いほど外部電線３の一部を好適に収納できるが、該位置決め用凹部１２の深さは取手部１１の強度等も踏まえて決定される。
【００４８】
また、位置決め用凹部１２を、外部電線３が嵌合するような形状や深さ等に形成することができる。
【００４９】
本実施形態におけるブッシング１によれば、取手部１１の外周に形成される複数の凹部における全部又は一部の凹部の深さや形状等を工夫し、ブッシングにおける基本的な構造の変更や新たな部材の追加等をすることなく、外部電線３を好適に位置決めすることができる。また、本発明のブッシングを用いれば、簡易な作業で外部電線に生じる振動が端子部１４及びその近傍に伝わることを抑制することができ、端子部１４及びその近傍における断線を抑制することができる。
【００５０】
「２」第２実施形態
図７及び図８により、第２実施形態におけるブッシングについて説明する。第２実施形態におけるブッシングは、第１実施形態における位置決め用凹部１２の形状のみが異なるブッシングである。図７及び図８に、取手部１１及び該取手部１１に形成される位置決め用凹部１２ａを示す。
【００５１】
図７及び図８に示すように、位置決め用凹部１２ａは、該位置決め用凹部１２ａの長手方向における外方側に形成される外方側開口部１２１と、該外方側開口部１２１と反対側の端子配置部１５側に形成される端子配置部側開口部１２３と、を備える。そして、位置決め用凹部１２ａは、外方側開口部１２１と端子配置部側開口部１２３とを繋ぐように連続して形成される。言い換えると、位置決め用凹部１２ａは、該位置決め用凹部１２ａにおける長手方向の両端において開口するよう形成されると共に、該両端に形成される開口を繋ぐように連通する。
【００５２】
本実施形態において、図８に示すように、外部電線３は、小さな変形で位置決め用凹部１２ａに収納配置される。具体的には、図６に示される外部電線３における変形よりも小さな変形で、外部電線３の一部を位置決め用凹部１２ａに収納配置される。
【００５３】
これにより、端子部１４及びその近傍における変形が小さくなるため、導電線１３ａを保護する絶縁部材１３ｂが剥がされた状態である端子部１４において、断線の発生をより好適に抑制することができる。
【００５４】
「３」第３実施形態
図９及び図１０により、第３実施形態におけるブッシングについて説明する。第３実施形態におけるブッシングは、第１実施形態における位置決め用凹部１２の形状のみが異なるブッシングである。図９及び図１０に、取手部１１及び該取手部１１に形成される位置決め用凹部１２ｂを示す。
【００５５】
図９及び図１０に示すように、位置決め用凹部１２ｂは、該位置決め用凹部１２ｂの長手方向における外方側に形成される外方側開口部１２１と、該外方側開口部１２１と反対側の端子配置部１５側に形成される端子配置部側開口部１２５とを備える。そして、位置決め用凹部１２ｂは、外方側開口部１２１と端子配置部側開口部１２５とを繋ぐように形成される。言い換えると、位置決め用凹部１２ｂは、該位置決め用凹部１２ｂにおける長手方向の両端において開口するよう形成されると共に、該両端に形成される開口を繋ぐように連通する。
【００５６】
図９（ａ）及び（ｃ）に示すように、位置決め用凹部１２ｂは、該位置決め用凹部１２ｂの長手方向における外方側に形成される第１凹部１２７と、該位置決め用凹部１２ｂの長手方向における端子配置部側に第１凹部１２７と連続して形成される第２凹部１２９と、を備える。図９（ｃ）に示すように、第２凹部１２９の底部は、該第２凹部１２９における第１凹部１２７側から端子配置部１５側に向かうに従って、外周側とは反対側に向かうように傾斜する。つまり、位置決め用凹部１２ｂは、第２実施形態における位置決め用凹部１２ａの変形形態であって、第２実施形態の位置決め用凹部１２ａの底部における端子配置部１５側が、外周側とは反対側に向かうように傾斜した凹部である。
【００５７】
図１０に示すように、外部電線３は、より小さな変形で位置決め用凹部１２ｂに収納配置される。具体的には、図６及び図８に示される外部電線３における変形よりも小さな変形で、外部電線３の一部を位置決め用凹部１２ｂに収納配置される。特に、端子部１４及びその近傍における変形が小さくなるため、導電線１３ａを保護する絶縁部材１３ｂが剥がされた状態である端子部１４において、断線の発生をより好適に抑制することができる。
【００５８】
「４」変形形態
図１１により、変形形態におけるブッシングについて説明する。変形形態におけるブッシングは、第１実施形態における位置決め用凹部１２の形状のみが異なるブッシングである。更に具体的には、変形形態におけるブッシングは、実施形態３における取手部１１の外周に沿うように所定の固定部材６２０が配置されたブッシングである。
【００５９】
図１１に示すように、取手部１１の外周には、該外周に沿うように固定部材６２０を配置可能に形成される固定部材配置部６１０が形成される。固定部材６２０は、外部電線３の一部が収納配置された状態における取手部１１の外周に配置される。具体的には、固定部材配置部６１０に嵌合するようにして配置される。これにより、外部電線３を、位置決め用凹部１２ｂにその一部が収納配置された状態を保持することができる。
【００６０】
固定部材６２０は、外部電線３の一部が収納配置された状態における取手部１１の外周に沿うように配置可能な部材であればよい。例えば、リング状に形成された弾性部材や、２つのＵ字部状部材を一端で開閉可能に連結した部材であってもよい。
【００６１】
図１１に示すように、外部電線３は、より小さな変形で位置決め用凹部１２ｂに収納配置されると共に、固定部材６２０により該収納配置された状態で保持される。これにより、端子部１４及びその近傍における変形が小さくなると共に、該収納配置状態で保持されるため、導電線１３ａを保護する絶縁部材１３ｂが剥がされた状態である端子部１４において、断線の発生をより好適に抑制することができる。
【００６２】
「５」変圧器
図１３に示すように、変圧器５００は、略円筒状の筐体５１と、該筐体５１に形成される外部電線３の引き込み孔及び／又は引き出し孔である孔部４に嵌合するように配置されるブッシング１と、ブッシング１に電気的に接続される不図示の変圧器側電線と、変圧器側電線に電気的に接続される不図示の変圧部と、該変圧器５００を所定の電柱等に配置させる配置用部材５５と、を備える。
【００６３】
変圧器５００は、外部電線３の引き込み孔及び／又は引き出し孔である孔部４に本発明におけるブッシング１が嵌合配置される変圧器である。ブッシング１は、本発明のブッシングであり、具体的な構造等は上述の通りである。図１３においては、第１実施形態におけるブッシング１が嵌合配置される。
【００６４】
変圧器５００に引き込まれる外部電線３及び／又は変圧器５００から引き出される外部電線３は、上述の通り、取手部１１の外周に形成される位置決め用凹部１２に収納配置される。これにより、例えば、電柱等の強風の影響を受けやすい位置に配置される変圧器５００において、強風等により外部電線３に生じる振動が不図示の端子部及びその近傍に伝わることを抑制することができる。また、これにより、不図示の端子部及びその近傍における断線を抑制することができる。
【図面の簡単な説明】
【００６５】
【図１】本発明における第１実施形態のブッシングを示す斜視図である。
【図２】第１実施形態におけるブッシングの構造を示す分解斜視図である。
【図３】被取付体に配置される第１実施形態におけるブッシングの構造を示す側面図である。
【図４】被取付体に配置される第１実施形態におけるブッシングの外観を示す側面図である。
【図５】第１実施形態におけるブッシングの位置決め用凹部を示す側面図及び平面図である。
【図６】第１実施形態における外部電線の収納配置状態を示す側面図及び平面図である。
【図７】第２実施形態におけるブッシングの位置決め用凹部を示す側面図及び平面図である。
【図８】第２実施形態における外部電線の収納配置状態を示す側面図及び平面図である。
【図９】第３実施形態におけるブッシングの位置決め用凹部を示す側面図、平面図及び断面図である。
【図１０】第３実施形態における外部電線の収納配置状態を示す側面図及び平面図である。
【図１１】変形形態におけるブッシングを示す側面図である。
【図１２】被取付体に配置される従来のブッシングにおける外観を示す側面図及び平面図である。
【図１３】本発明のブッシングが配置された変圧器を示す斜視図である。
【符号の説明】
【００６６】
１    ブッシング
２    被取付体
３    外部電線
４    孔部
５    外筒部材
６    開口部
７    中空部
８    導電部
９    雄ネジ部
１０  雌ネジ部
１１  取手部
１２  位置決め用凹部
１３  規制部
１４  端子部
１５  端子配置部
１６  挿通部
【図１】
2007280829.tif 000003
【図２】
2007280829.tif 000004
【図３】
2007280829.tif 000005
【図４】
2007280829.tif 000006
【図５】
2007280829.tif 000007
【図６】
2007280829.tif 000008
【図７】
2007280829.tif 000009
【図８】
2007280829.tif 000010
【図９】
2007280829.tif 000011
【図１０】
2007280829.tif 000012
【図１１】
2007280829.tif 000013
【図１２】
2007280829.tif 000014
【図１３】
2007280829.tif 000015